(57)【要約】【課題】  簡単な構成により、塵埃対策を施し、しかも、カード挿入通路に、コインなどのＰＣカード以外の異物が容易に混入しないようにした電子機器およびテレビジョンを提供することを目的とする。【解決手段】  ＰＣカード３を挿入する挿入口２１には、ＰＣカード３が挿入されていない状態では、当該挿入口２１を閉塞する蓋部と、この蓋部４をロックするロック手段５とを、更に備え、ロック手段５は、一対のロック片５ａ、５ｂを有し、このロック片５ａ、５ｂは、蓋部４の前面の側端から筐体１７外に突出する突出部５１ａ、５１ｂと、蓋部４の背面を押圧することにより蓋部４をロックする押圧部５２ａ、５２ｂとからなり、ロック手段５は、ＰＣカード３を挿入口２１からカード挿入通路２２に挿入する際、一対のロック片５ａ、５ｂの突出部５１ａ、５１ｂが一緒に押圧されることにより、蓋部４の背面を押圧する押圧部５２ａ、５２ｂによる蓋部４のロックが解除されるように構成する。【選択図】図５
2009064082.tif 000002
【特許請求の範囲】
【請求項１】
ＰＣカードを挿入する挿入口と、この挿入口に繋がり、前記ＰＣカードを挿通するカード挿入通路と、このカード挿入通路の終端部に設けられ、前記ＰＣカードが接続される接続部とを有する情報読取書込手段と、この情報読取書込手段を収納する筐体とを備え、前記筐体の壁面に前記挿入口を配設してなる電子機器に置いて、
前記挿入口には、前記ＰＣカードが挿入されていない状態では、当該挿入口を閉塞する蓋部と、この蓋部をロックするロック手段とを、更に備え、前記ロック手段は、一対のロック片を有し、このロック片は、前記蓋部の前面の側端から前記筐体外に突出する突出部と、前記蓋部の背面を押圧することにより前記蓋部をロックする押圧部とからなり、前記ロック手段は、前記ＰＣカードを前記挿入口から前記カード挿入通路に挿入する際、前記一対のロック片の突出部が一緒に押圧されることにより、前記蓋部の背面を押圧する押圧部による前記蓋部のロックが解除されるように構成したことを特徴とする電子機器。
【請求項２】
前記蓋部は、前面の両側端の下端に、前記突出部を導出する切り欠き部を有し、前記ロック手段は、前記カード挿入通路の下側に前記ロック片が移動可能な退避領域を、更に備え、前記ロック片は、前記一対のロック片の突出部が前記ＰＣカードにより一緒に押圧されながら挿入されることにより、前記退避領域に退避するように形成されていることを特徴とする請求項１に記載の電子機器。
【請求項３】
前記蓋部は、前面の両側端に、前記突出部を導出する切り欠き部を有し、前記ロック手段は、前記カード挿入通路の側端部に前記ロック片が移動可能な退避領域を、更に備え、前記ロック片は、前記側端部に設けられた回転軸に回転可能に軸支され、前記一対のロック片の突出部が一緒に押圧されながら挿入されることにより、前記退避領域に退避するように形成されていることを特徴とする請求項１に記載の電子機器。
【請求項４】
アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示部と、前記テレビジョン受信手段からの出力信号に基づいて音声を発する音声部と、電源部と、ＰＣカードから情報を読み取りおよび／またはＰＣカードに情報を書き込む情報読取書込手段と、全体的な制御を統括して行う制御手段と、これらテレビジョン受信手段、画像表示部、制御手段、電源部、情報読取書込手段および制御手段を収納する筐体と、を備え、前記情報読取書込手段は、ＰＣカードを挿入する挿入口と、この挿入口に繋がり、前記ＰＣカードを挿通するカード挿入通路と、このカード挿入通路の終端部に設けられ、前記ＰＣカードが接続される接続部とを有し、前記挿入口は、前記筐体の壁面に配設したテレビジョンにおいて、
前記挿入口には、前記ＰＣカードが挿入されていない状態では、当該挿入口を閉塞する蓋部と、この蓋部をロックするロック手段とを、更に備え、前記ロック手段は、一対のロック片を有し、このロック片は、前記蓋部の前面の側端から前記筐体外に突出する突出部と、前記蓋部の背面を押圧することにより前記蓋部をロックする押圧部とからなり、前記ロック手段は、前記ＰＣカードを前記挿入口から前記カード挿入通路に挿入する際、前記一対のロック片の突出部が一緒に押圧されることにより、前記蓋部の背面を押圧する押圧部による前記蓋部のロックが解除されるように構成したことを特徴とするテレビジョン。
【請求項５】
前記蓋部は、前面の両側端の下端に、前記突出部を導出する切り欠き部を有し、前記ロック手段は、前記カード挿入通路の下側に前記ロック片が移動可能な退避領域を、更に備え、前記ロック片は、前記一対のロック片の突出部が一緒に押圧されながら挿入されることにより、前記退避領域に退避するように形成されていることを特徴とする請求項４に記載のテレビジョン。
【請求項６】
前記蓋部は、前面の両側端の中間部分に、前記突出部を導出する切り欠き部を有し、前記ロック手段は、前記カード挿入通路の側端部に前記ロック片が移動可能な退避領域を、更に備え、前記ロック片は、前記側端部に設けられた回転軸に回転可能に軸支され、前記一対のロック片の突出部が一緒に押圧されながら挿入されることにより、前記退避領域に退避するように形成されていることを特徴とする請求項４に記載のテレビジョン。
【発明の詳細な説明】
【技術分野】
【０００１】
本発明は、ＰＣカードを挿入し、当該ＰＣカードに記録された情報を読み取りおよび／またはＰＣカードに情報を書き込むことにより、動作する電子機器およびテレビジョンに関し、特に、ＰＣカードを挿入するカード挿入通路に、コインなどのＰＣカード以外の異物が容易に混入しないようにしたものである。
【背景技術】
【０００２】
例えば、電子機器である液晶パネルを用いたテレビジョンにおいて、所定のＰＣカードが挿入されたことを条件に、所望のテレビジョン放送を受信し、ユーザが観るようにしたものがある。このような、テレビジョンにおいて、ＰＣカードを所持しないものが、誤ってコインなどをＰＣカードに挿入すると、この種テレビジョンが故障することとなる。
【０００３】
従来、この様な電子機器においては、例えば、カードを挿入する開口の内部の端部に、カードによって押されるガイドを設け、このガイドが押されることにより、ガイドより内部に設けられたシャッターを開くようにしたものがある(特許文献１参照）。
【０００４】
また、カード挿入口からカード通路を経由した奥の筐体内の筐体カード通路内に、突起を有する阻止部材を設け、カード挿入口からカード通路内に正規のカードが挿入されたときだけ、阻止部材を上方に移動させてカードを挿入するようにしたものがある(特許文献２参照）。
【特許文献１】特開平４−１０２９８８号公報
【特許文献２】特開２０００−２９３６３６号公報
【発明の開示】
【発明が解決しようとする課題】
【０００５】
しかし、前述の特許文献１記載の構成では、ガイドが回転することによりシャッターを開くようにしているので、ガイドそのものは、本体ケース内部に位置する。このため、シャッターは、ガイドのカードと当接する位置より内部に設ける必要がある。従って、挿入口と、シャッターまでの間に埃などの塵埃が溜まる空間ができ、この空間に溜まった塵埃は、ＰＣカード挿入時に本体内部に侵入して接触不良などが発生し、これに基因して、ＰＣカードに記録された情報を読取ることができないなどいった問題があった。
【０００６】
また、特許文献２記載の構成では、カード挿入口には、蓋がなく、蓋として機能する阻止部材は、筐体内のカード通路に設けられているので、カード通路に埃などの塵埃が溜まる。この結果、上述の特許文献１記載のものと同様、カード通路に溜まった塵埃が、カード挿入時に本体内部に侵入して接触不良などが発生し、これに基因して、ＰＣカードに記録された情報を読取ることができないなどいった問題があった。
【０００７】
本発明は、上述した問題を解決するためになされたものであり、簡単な構成により、塵埃対策を施し、しかも、カード挿入通路に、コインなどのＰＣカード以外の異物が容易に混入しないようにした電子機器およびテレビジョンを提供することを目的とする。
【課題を解決するための手段】
【０００８】
かかる目的を達成するため、本発明では、ＰＣカードを挿入する挿入口と、この挿入口に繋がり、ＰＣカードを挿通するカード挿入通路と、このカード挿入通路の終端部に設けられ、ＰＣカードが接続される接続部とを有する情報読取書込手段と、この情報読取書込手段を収納する筐体とを備え、筐体の壁面に挿入口を配設してなる電子機器に置いて、挿入口には、ＰＣカードが挿入されていない状態では、当該挿入口を閉塞する蓋部と、この蓋部をロックするロック手段とを、更に備え、ロック手段は、一対のロック片を有し、このロック片は、蓋部の前面の側端から筐体外に突出する突出部と、蓋部の背面を押圧することにより蓋部をロックする押圧部とからなり、ロック手段は、ＰＣカードを挿入口からカード挿入通路に挿入する際、一対のロック片の突出部が一緒に押圧されることにより、蓋部の背面を押圧する押圧部による蓋部のロックが解除されるように構成する。
【０００９】
この構成によれば、ＰＣカードを挿通するカード挿入通路の挿入口には、ＰＣカードが挿入されていない状態では、当該挿入口を閉塞する蓋部が設けられ、この蓋部は、ロック機構によりロックされている。このロック手段は、一対のロック片を有し、このロック片は、蓋部の前面の側端から筐体外に突出する突出部と、蓋部の背面を押圧することにより蓋部をロックする押圧部とから形成されている。そして、ロック手段は、ＰＣカードを挿入口からカード挿入通路に挿入する際、一対のロック片の突出部が一緒に押圧されることにより、蓋部の背面を押圧する押圧部による蓋部のロックが解除される。この結果、蓋部は、この蓋部の側端に配設された一対のロック片の突出部を一緒に押圧しないことには、開かない。従って、コインなど幅の小さい異物は、側端に配設された一対のロック片を押圧することができず、カード挿入通路に誤ってコインなどのＰＣカード以外の異物が容易に混入しない。しかも、挿入口には、蓋部が設けられ、ＰＣカードが挿入されていない状態では、当該挿入口を閉塞している。この結果、カード挿入通路に埃などの塵埃が侵入し、当該カード挿入通路に塵埃が溜まることがない。従って、塵埃がＰＣカード挿入時に本体内部に侵入して接触不良を発生するなどいった危惧がなくなる。
【００１０】
また、本発明においては、蓋部は、前面の両側端の下端に、突出部を導出する切り欠き部を有し、ロック手段は、カード挿入通路の下側にロック片が移動可能な退避領域を、更に備え、ロック片は、一対のロック片の突出部がＰＣカードにより一緒に押圧されながら挿入されることにより、退避領域に退避するように形成する。
【００１１】
この構成によれば、蓋部は、前面の両側端の下端に、突出部を導出する切り欠きを有し、ロック手段は、カード挿入通路の下側にロック片が移動可能な退避領域を備えている。そして、ロック片は、一対のロック片の突出部がＰＣカードにより一緒に押圧されながら挿入されることにより、退避領域に退避するように形成されているので、仮に、埃などの塵埃が入ったとしても、ロック片の退避領域に入り、カード挿入通路に侵入して接触不良が発生し、情報読取書込手段を誤動作（読取りおよび／または書き込み不良など）させる恐れがない。
【００１２】
また、本発明においては、蓋部は、前面の両側端に、突出部を導出する切り欠き部を有し、ロック手段は、カード挿入通路の側端部にロック片が移動可能な退避領域を、更に備え、ロック片は、側端部に設けられた回転軸に回転可能に軸支され、一対のロック片の突出部が一緒に押圧されながら挿入されることにより、退避領域に退避するように形成する。
【００１３】
この構成によれば、蓋部は、前面の両側端に、突出部を導出する切り欠き部を有し、ロック手段は、カード挿入通路の側端部にロック片が移動可能な退避領域を備え、ロック片は、側端部に設けられた回転軸に回転可能に軸支されている。そして、ロック片は、一対のロック片の突出部がＰＣカードにより一緒に押圧されながら挿入されることにより、カード挿入通路の側端部に設けられた退避領域に退避するように形成されているので、ロック片の移動領域を含めた、ロック手段の占有面積を小さくすることができ、都合がよい。
【００１４】
また、本発明においては、アンテナを介して受信したテレビジョン放送信号の中から、ユーザにより設定入力されたチャンネルの放送信号の選局・復調を行って、映像・音声信号を出力するテレビジョン受信手段と、このテレビジョン受信手段からの出力信号に基づいて画像情報を表示する画像表示部と、テレビジョン受信手段からの出力信号に基づいて音声を発する音声部と、電源部と、ＰＣカードから情報を読み取りおよび／またはＰＣカードに情報を書き込む情報読取書込手段と、全体的な制御を統括して行う制御手段と、これらテレビジョン受信手段、画像表示部、制御手段、電源部、情報読取書込手段および制御手段を収納する筐体と、を備え、情報読取書込手段は、ＰＣカードを挿入する挿入口と、この挿入口に繋がり、ＰＣカードを挿通するカード挿入通路と、このカード挿入通路の終端部に設けられ、ＰＣカードが接続される接続部とを有し、挿入口は、筐体の壁面に配設したテレビジョンにおいて、挿入口には、ＰＣカードが挿入されていない状態では、当該挿入口を閉塞する蓋部と、この蓋部をロックするロック手段とを、更に備え、ロック手段は、一対のロック片を有し、このロック片は、蓋部の前面の側端から筐体外に突出する突出部と、蓋部の背面を押圧することにより蓋部をロックする押圧部とからなり、ロック手段は、ＰＣカードを挿入口からカード挿入通路に挿入する際、一対のロック片の突出部が一緒に押圧されることにより、蓋部の背面を押圧する押圧部による蓋部のロックが解除されるように構成する。
【００１５】
この構成によれば、ＰＣカードを挿入することを条件として動作するテレビジョンにおいて、ＰＣカードを挿通するカード挿入通路の挿入口には、ＰＣカードが挿入されていない状態では、当該挿入口を閉塞する蓋部が設けられ、この蓋部は、ロック機構によりロックされている。このロック手段は、一対のロック片を有し、このロック片は、蓋部の前面の側端から筐体外に突出する突出部と、蓋部の背面を押圧することにより蓋部をロックする押圧部とから形成されている。そして、ロック手段は、ＰＣカードを挿入口からカード挿入通路に挿入する際、一対のロック片の突出部が一緒に押圧されることにより、蓋部の背面を押圧する押圧部による蓋部のロックが解除される。この結果、蓋部は、この蓋部の側端に配設された一対のロック片の突出部を一緒に押圧しないことには、開かない。従って、コインなど幅の小さい異物は、側端に配設された一対のロック片を押圧することができず、カード挿入通路に誤ってコインなどのＰＣカード以外の異物が容易に混入しない。しかも、挿入口には、蓋部が設けられ、ＰＣカードが挿入されていない状態では、当該挿入口を閉塞している。この結果、カード挿入通路に埃などの塵埃が侵入し、当該カード挿入通路に塵埃が溜まることがない。従って、塵埃がＰＣカード挿入時に本体内部に侵入して接触不良が発生するなどいった危惧がなくなる。
【００１６】
また、本発明においては、蓋部は、前面の両側端の下端に、突出部を導出する切り欠き部を有し、ロック手段は、カード挿入通路の下側にロック片が移動可能な退避領域を、更に備え、ロック片は、一対のロック片の突出部が一緒に押圧されながら挿入されることにより、退避領域に退避するように形成する。
【００１７】
この構成によれば、蓋部は、前面の両側端の下端に、突出部を導出する切り欠きを有し、ロック手段は、カード挿入通路の下側にロック片が移動可能な退避領域を備えている。そして、ロック片は、一対のロック片の突出部がＰＣカードにより一緒に押圧されながら挿入されることにより、退避領域に退避するように形成されているので、仮に、埃などの塵埃が入ったとしても、ロック片の退避領域に入り、カード挿入通路に侵入して接触不良が発生し、情報読取書込手段を誤動作（読取りおよび／または書き込み不良など）させる恐れがない。
【００１８】
更に、本発明においては、蓋部は、前面の両側端に、突出部を導出する切り欠き部を有し、ロック手段は、カード挿入通路の側端部にロック片が移動可能な退避領域を、更に備え、ロック片は、側端部に設けられた回転軸に回転可能に軸支され、一対のロック片の突出部が一緒に押圧されながら挿入されることにより、退避領域に退避するように形成する。
【００１９】
この構成によれば、蓋部は、前面の両側端に、突出部を導出する切り欠き部を有し、ロック手段は、カード挿入通路の側端部にロック片が移動可能な退避領域を備え、ロック片は、側端部に設けられた回転軸に回転可能に軸支されている。そして、ロック片は、一対のロック片の突出部がＰＣカードにより一緒に押圧されながら挿入されることにより、カード挿入通路の側端部に設けられた退避領域に退避するように形成されているので、ロック片の移動領域を含めた、ロック手段の占有面積を小さくすることができ、都合がよい。
【発明の効果】
【００２０】
本発明によれば、簡単な構成により、塵埃対策を施し、しかも、カード挿入通路に、コインなどのＰＣカード以外の異物が容易に混入しないようにした電子機器およびテレビジョンを得ることができる。
【発明を実施するための最良の形態】
【００２１】
（第１実施形態）
以下、本発明の一実施形態を図１乃至図１０に基づいて説明する。図１は、本発明の一実施形態に係る電子機器の一例である液晶テレビジョンのブロック構成を示すブロック図、図２は、図１に示す液晶テレビジョンの概略構成を示す正面図である。図３は、図１に示す情報読取書込手段の要部を示す正面図、図４は、図３に示す情報読取書込手段の上面図、図５は、図４の側面断面図である。図６乃至図８は、情報読取書込手段の動作を説明する動作説明図である。図９は、情報読取書込手段にＰＣカードが挿入された状態を示す側面断面図、図１０は、図９に示す情報読取書込手段のカード挿入通路の正面断面図である。
【００２２】
図１に示す電子機器である液晶テレビジョン１は、厚みの薄い略矩形状の筐体１１を有している。筐体１１は、例えば、スタンド機構１２などにより略鉛直に正立され、その正面側に矩形状の開口１１１が設けられている。開口１１１には、映像表示手段である、液晶モジュール２の液晶パネル３が嵌め込まれ、この液晶パネル３において映像を表示することが可能となっている。また、例えば、液晶モジュール２の下方には、スピーカ１３が配設されている。
【００２３】
図１に示すように、例えば、地上デジタルのテレビ放送が受信できる液晶テレビジョン１は、テレビジョン受信手段１１と、このテレビジョン受信手段１１からの出力信号に基づいて画像情報を表示する画像表示部１２と、テレビジョン受信手段１１からの出力信号に基づいて音声を発するスピーカなどからなる音声部１３と、装置の全体的な制御を統括して行う制御手段１４と、各部に電力を供給する電源部１５と、操作パネル１６と、これらテレビジョン受信手段１１、画像表示部１２、音声部１３、制御手段１４および電源部１５などを収納する筐体１７とから構成されている。
【００２４】
テレビジョン受信手段１１は、アンテナＡを介して受信した地上デジタルの放送信号の中から、ユーザにより設定入力されたチャンネルの放送信号の選局・復調を行って、映像信号・音声信号を出力する。このテレビジョン受信手段１１は、例えば、地上デジタルの放送信号を選択的に受信する地上デジタルチューナ１１１と、地上デジタルの放送信号を復調する地上デジタル復調部１１２と、復調されたストリーム信号から映像データ、音響データ、番組情報や文字情報や制御データなどを含む付加情報をデコードするＴＳ（Transport Stream）デコーダ１１３と、映像データを復号して映像信号を出力するビデオデコーダ１１４と、音響データを復号して音声信号を出力するオーディオデコーダ１１５とから構成されている。
【００２５】
画像表示部１２は、例えば、薄型の液晶ディスプレからなり、図２に示すように、例えば、厚みの薄い略矩形状の筐体１７のフロント側に形成された矩形状の開口１７１に、液晶ディスプレの表示面である液晶パネル１２１が嵌め込まれ、この液晶パネル１２１において映像などを表示することが可能となっている。音声部１３は、例えば、スピーカからなり、このスピーカの前面は、筐体１７のフロント面に位置するように装着されている。また、筐体１７内には、情報読取書込手段２が収納され、筐体１７の、例えば、フロント側の壁面１７２には、情報読取書込手段２の挿入口２１が設けられ、この挿入口２１からＰＣカード３が挿入可能に構成されている。
【００２６】
制御手段１４は、装置の全体的な制御を統括して行うマイクロコンピュータ（マイクロコントローラ）から構成されている。この制御手段１４には、作業用のメモリ空間を提供するＲＡＭ（Ｒａｎｄｏｍ  Ａｃｃｅｓｓ  Ｍｅｍｏｒｙ）１８と、制御プログラムや制御データが格納される不揮発性メモリ１９などが接続されている。操作パネル１６には、複数の操作ボタンやリモコン受信部１６１が設けられ外部からの指示操作を受け付けるように構成されている。これにより、制御手段１４は、操作パネル１６およびリモコン受信部１６１を介してリモコンＲから入力される種々のコマンド信号に応じて各部に制御信号を発して所定の動作を行わせる。なお、ＲＡＭ１８や不揮発性メモリ１９はマイクロコンピュータと一体的に集積された構成としても良いのは、勿論である。また、地上デジタルの放送信号には、制御データとして様々な情報が含まれており、その中には、放送局名など放送局を識別する情報、放送局の系列が表わされた系列ＩＤ（“ａｆｆｉｌｉａｔｉｏｎ  ｉｄ”と記述される）、１ｃｈ〜１２ｃｈの選局番号のうち放送局により割り当て用として推奨され選局番号を示すリモコンキーＩＤ（“ｒｅｍｏｔｅ  ｃｏｎｔｒｏｌ  ｋｅｙ  ｉｄ"と記述される）などがある。そして、これらのデータは、ＴＳデコーダ１１３においてデコードされて制御手段１４へ送られるようになっている。
【００２７】
かかる構成により、ユーザは、例えば、挿入口２１から所定のＰＣカード３を挿入し、リモコンＲを用いて、テレビジョン１を操作し、所望のチャンネルに合わせることにより、画像表示部１２である液晶ディスプレの液晶パネル１２１に表示される画像を観ることができ、同時に音声部１３であるスピーカから音声を聴くことができる。
【００２８】
而して、本発明に従い、情報読取書込手段２は、図３乃至図１０に示すように、筐体１７の壁面１７２にＰＣカードを挿入する挿入口２１と、この挿入口２１に繋がり、ＰＣカード３を挿通するスロット状のカード挿入通路２２と、このカード挿入通路２２の終端部に設けられ、ＰＣカード３が接続される接続部２３とから構成されている。この情報読取書込手段２は、例えば、コネクタ２４に接続されたフレキシブルフラットケーブル２５を介して制御手段１４（図１参照）に接続されている。カード挿入通路２２は、例えば、図１０に示すように、断面形状がＬ字状のガイド部材２６により、ＰＣカード３の側端部の上下および左右を挟持するように形成されている。
【００２９】
挿入口２１には、ＰＣカード３が挿入されていない状態では、当該挿入口２１を閉塞する蓋部４と、この蓋部４をロックするロック手段５とが設けられている。蓋部４は、例えば、筐体１７に設けられた回転軸４１に、蓋４２が回転可能に軸支され、この蓋４２がカード挿入通路２２側に回転することにより、挿入口２１が開くように構成されている。ＰＣカード３が挿入されていない状態では、例えば、図示しない比較的に力の弱いバネなどの付勢手段により、挿入口２１を閉塞するように形成されている。また、本実施形態では、図３に示すように、蓋４２の前面の両側端の下端には、切り欠き部４２ａ、４２ｂが形成されている。なお、図中２７は、ＰＣカード３を情報読取書込手段２から取出す際に押すイジェクトボタンである。
【００３０】
ロック手段５は、左右一対のロック片５ａ、５ｂからなり、各ロック片５ａ、５ｂは、ＰＣカード３が挿入されていない状態、即ち、蓋４２が閉塞されている状態では、蓋４２に形成した切り欠き部４２ａ、４２ｂから導出される突出部５１ａ、５１ｂと、蓋４２の背面を押圧する押圧部５２ａ、５２ｂから構成されている。また、ロック手段５は、カード挿入通路２２の下側にロック片５ａ、５ｂが移動可能な退避領域５３を備えている。更に、各ロック片５ａ、５ｂは、蓋４２が閉塞されている状態では、図示しないバネなどの付勢手段により、蓋４２の背面を押圧部５２ａ、５２ｂが押圧するように形成されている。そして、ロック片５ａ、５ｂは、一対のロック片５ａ、５ｂの突出部５１ａ、５１ｂがＰＣカード３の先端により一緒に押圧されながら挿入されることにより、前述の付勢手段に抗して退避領域５３に退避するように形成されている。
【００３１】
次に、本実施形態の動作について、図６乃至図９に基づいて説明する。液晶テレビジョン１を観るには、先ず、所定のＰＣカード３を図６に示すように、ＰＣカード３の先端部でロック手段５の一対のロック片５ａ、５ｂの突出部５１ａ、５１ｂを一緒に押圧しながら挿入する。これにより、一対のロック片５ａ、５ｂは、図７および図８に示すように、図示しない付勢手段に抗して退避領域５３側に後退するとともに、蓋４２が回転軸４１を中心に上方側に回転（図４参照）し、ＰＣカード３は、カード挿入通路２２内に挿入される。更に、ＰＣカード３を挿入すれば、一対のロック片５ａ、５ｂは、図９に示すように、退避領域５３に退避し、ＰＣカード３の先端が、情報読取書込手段２の接続部２３に接触接続される。
【００３２】
ところが、誤って、ＰＣカード３ではなく、コインなどの異物を蓋４２の前面に押し付けても、一対のロック片５ａ、５ｂの突出部５１ａ、５１ｂを一緒に押圧することができない。従って、ロック手段５により、蓋部４がロックされているため、コインなどの異物の侵入は、阻止される。
【００３３】
以上の構成による本実施形態によれば、ＰＣカード３を挿通するカード挿入通路２２の挿入口２１には、ＰＣカード３が挿入されていない状態では、当該挿入口２１を閉塞する蓋部４が設けられ、この蓋部４は、ロック機構５によりロックされている。このロック手段５は、一対のロック片５ａ、５ｂを有し、このロック片５ａ、５ｂは、蓋部４の前面の側端から筐体１７外に突出する突出部５１ａ、５１ｂと、蓋部４の背面を押圧することにより蓋部４をロックする押圧部５２ａ、５２ｂとから形成されている。そして、ロック手段５は、ＰＣカード３を挿入口２１からカード挿入通路２２に挿入する際、一対のロック片５ａ、５ｂの突出部５１ａ、５１ｂが一緒に押圧されることにより、蓋部３の背面を押圧する押圧部５２ａ、５２ｂによる蓋部４のロックが解除される。この結果、蓋部４は、この蓋部４の側端に配設された一対のロック片５ａ、５ｂの突出部５１ａ、５１ｂを一緒に押圧しないことには、開かない。従って、コインなど幅の小さい異物は、側端に配設された一対のロック片５ａ、５ｂを押圧することができず、カード挿入通路２２に誤ってコインなどのＰＣカード３以外の異物が容易に混入しない。しかも、挿入口２１には、蓋部４が設けられ、ＰＣカード３が挿入されていない状態では、当該挿入口２１を閉塞している。この結果、カード挿入通路２２に埃などの塵埃が侵入し、当該カード挿入通路２２に塵埃が溜まることがない。従って、塵埃がＰＣカード３挿入時に本体内部に侵入して接触不良を発生するなどいった危惧がなくなる。
【００３４】
また、蓋部４は、前面の両側端の下端に、突出部５１ａ、５１ｂを導出する切り欠き４２ａ、４２ｂを有し、ロック手段５は、カード挿入通路２２の下側にロック片５ａ、５ｂが移動可能な退避領域５３を備えている。そして、ロック片５ａ、５ｂは、一対のロック片５ａ、５ｂの突出部５１ａ、５１ｂがＰＣカード３により一緒に押圧されながら挿入されることにより、退避領域５３に退避するように形成されているので、仮に、埃などの塵埃が入ったとしても、ロック片５ａ、５ｂの退避領域５３に入り、カード挿入通路２２に侵入して接触不良が発生し、情報読取書込手段２を誤動作（読取りおよび／または書き込み不良など）させる恐れがなく、都合がよい。
【００３５】
（第２実施形態）
次に、本発明の第２実施形態について図１１乃至図１３を参照しながら説明する。図１１は、本発明の第２実施形態に係る情報読取書込手段の要部を示す正面図、図１２および図１３は、図１１に示す情報読取書込手段の要部の上面面である。なお、図１１乃至図１３において、上述した図１乃至図１０と同じ符号を付した部分は、略同一のものを示すため、ここでは詳細な説明は省略する。以下、上述した第１実施形態との相違点を中心に説明する。
【００３６】
本実施形態では、図１１乃至図１３に示すように、蓋部４の蓋４２は、前面の両側端の中間部分に切り欠き部４２ａ、４２ｂが設けられている。そして、この切り欠き部４２ａ、４２ｂから、上述の第１実施形態と同様、ロック片５ａ、５ｂの突出部５１ａ、５１ｂが導出されている。ロック手段５は、上述の第１実施形態と同様、ロック片５ａ、５ｂと、蓋４２の背面を押圧する押圧部５２ａ、５２ｂに加え、更に、押圧部５２ａ、５２ｂから側方に延出されたアーム部５４ａ、５４ｂおよびこのアーム部５４ａ、５４ｂを回転可能に軸支する回転軸５５ａ、５５ｂから構成されている。また、カード挿入通路２２の側端部には、ロック片５ａ、５ｂが移動可能な退避領域５３ａ、５３ｂが形成されている。更に、各ロック片５ａ、５ｂは、蓋４２が閉塞されている状態では、図示しないバネなどの付勢手段により、蓋４２の背面を押圧部５２ａ、５２ｂが押圧するように形成されている。そして、ロック片５ａ、５ｂは、一対のロック片５ａ、５ｂの突出部５１ａ、５１ｂがＰＣカード３の先端により一緒に押圧されながら挿入されることにより、回転軸５５ａ、５５ｂを中心にカード挿入通路２２の側端部側に回転し、前述の付勢手段に抗して退避領域５３ａ、５３ｂに退避するように形成されている。
【００３７】
次に、本実施形態の動作について説明する。液晶テレビジョン１を観るには、上述の第１実施形態と同様、先ず、所定のＰＣカード３を図１２に示すように、ＰＣカード３の先端部でロック手段５の一対のロック片５ａ、５ｂの突出部５１ａ、５１ｂを一緒に押圧しながら挿入する。これにより、一対のロック片５ａ、５ｂは、図１３に示すように、回転軸５５ａ、５５ｂを中心にカード挿入通路２２の側端部側に回転し、図示しない付勢手段に抗して退避領域５３ａ、５３ｂ側に後退するとともに、蓋４２が回転軸４１を中心に上方側に回転し、ＰＣカード３は、カード挿入通路２２内に挿入される。更に、ＰＣカード３を挿入すれば、ＰＣカード３の先端が、情報読取書込手段２の接続部２３に接触接続される。
【００３８】
以上の構成による本実施形態よれば、上述した実施形態と同様の作用効果を奏する他、蓋部４は、前面の両側端に、突出部５１ａ、５１ｂを導出する切り欠き部４２ａ、４２ｂを有し、ロック手段５は、カード挿入通路２２の側端部にロック片５ａ、５ｂが移動可能な退避領域５３ａ、５３ｂを備え、ロック片５ａ、５ｂは、側端部に設けられた回転軸５５ａ、５５ｂに回転可能に軸支されている。そして、ロック片５ａ、５ｂは、一対のロック片５ａ、５ｂの突出部５１ａ、５１ｂがＰＣカード３により一緒に押圧されながら挿入されることにより、カード挿入通路２２の側端部に設けられた退避領域５３ａ、５３ｂに退避するように形成されているので、ロック片５ａ、５ｂの移動領域を含めた、ロック手段５の占有面積を小さくすることができ、都合がよい。
【００３９】
なお、上述した各実施形態は、本発明の好適な実施例であるが、本発明はこれに限定されるものではなく、本発明の要旨を逸脱しない範囲において、種々変形実施可能である。
【００４０】
例えば、上述した実施形態では、電子機器として液晶テレビジョン１に適用した場合について詳述したが、他のテレビジョン或いは電子機器に本発明を適用してもよいのは、勿論である。
【図面の簡単な説明】
【００４１】
【図１】本発明の一実施形態に係る電子機器の一例である液晶テレビジョンのブロック構成を示すブロック図である。
【図２】図１に示す液晶テレビジョンの概略構成を示す正面図である。
【図３】図１に示す情報読取書込手段の要部を示す正面図である。
【図４】図３に示す情報読取書込手段の上面図である。
【図５】図４の側面断面図である。
【図６】情報読取書込手段の動作を説明する動作説明図である。
【図７】情報読取書込手段の動作を説明する動作説明図である。
【図８】情報読取書込手段の動作を説明する動作説明図である。
【図９】情報読取書込手段にＰＣカードが挿入された状態を示す側面断面図である。
【図１０】図９に示す情報読取書込手段のカード挿入通路の正面断面図である。
【図１１】本発明の第２実施形態に係る情報読取書込手段の要部を示す正面図である。
【図１２】図１１に示す情報読取書込手段の要部の上面面である。
【図１３】図１１に示す情報読取書込手段の要部の上面面である。
【符号の説明】
【００４２】
１      電子機器（液晶テレビジョン）
１１    テレビジョン受信手段
１２    画像表示部
１３    音声部
１４    制御手段
１５    電源部
１７    筐体
１７２  壁面
２      情報読取書込手段
２１    挿入口
２２    カード挿入通路
２３    接続部
３      ＰＣカード
４      蓋部
４１    回転軸
４２    蓋
４２ａ  切り欠き部
４２ｂ  切り欠き部
５      ロック手段
５ａ    ロック片
５ｂ    ロック片
５１ａ  突出部
５１ｂ  突出部
５２ａ  押圧部
５２ｂ  押圧部
５３    退避領域
５３ａ  退避領域
５３ｂ  退避領域
５５ａ  回転軸
５５ｂ  回転軸
【図１】
2009064082.tif 000003
【図２】
2009064082.tif 000004
【図３】
2009064082.tif 000005
【図４】
2009064082.tif 000006
【図５】
2009064082.tif 000007
【図６】
2009064082.tif 000008
【図７】
2009064082.tif 000009
【図８】
2009064082.tif 000010
【図９】
2009064082.tif 000011
【図１０】
2009064082.tif 000012
【図１１】
2009064082.tif 000013
【図１２】
2009064082.tif 000014
【図１３】
2009064082.tif 000015